(57)【要約】【課題】顧客の要望に応じて袖ユニット部のデザインや機能の変更追加をすることが容易で、且つ、消音換気に有効な玄関ドア枠を提供する。【解決手段】枠内にドア取付用開口部２と袖ユニット取付用開口部３とを備え、袖ユニット取付用開口部３は、上部に換気口４１と換気口４１を塞ぐことができる防火ダンパー４２とを設けた耐火または防火性能を有する閉塞パネル４で塞いであり、袖ユニット取付用開口部３の屋外側には下部に換気口５１を設けた外側パネル５を取り付けて閉塞パネル４と外側パネル５とで中空部５ａを形成し、袖ユニット取付用開口部３の屋内側には換気口６１を設けた内側パネル６を取り付けて閉塞パネル４と内側パネル６とで中空部６ａを形成している。【選択図】　　　　図１
2004044157.tif 000002
【特許請求の範囲】
【請求項１】
枠内にドア取付用開口部と袖ユニット取付用開口部とを備え、袖ユニット取付用開口部は、上部に換気口と換気口を塞ぐことができる防火ダンパーとを設けた耐火または防火性能を有する閉塞パネルで塞いであり、袖ユニット取付用開口部の屋外側には下部に換気口を設けた外側パネルを取り付けて閉塞パネルと外側パネルとで中空部を形成し、袖ユニット取付用開口部の屋内側には換気口を設けた内側パネルを取り付けて閉塞パネルと内側パネルとで中空部を形成していることを特徴とする玄関ドア枠。
【発明の詳細な説明】
【０００１】
【発明が属する技術分野】
本発明は、防火・耐火機能を有する袖ユニットを備えた玄関ドア枠に関するものである。
【０００２】
【従来の技術】
従来から知られている防火・耐火機能を有する玄関ドア枠関連の技術として、例えば、実公平７−３６６７０号では防火戸の袖壁に採光用の小窓を設ける方法が開示されており、また、特開２０００−７３６７１号では玄関ドアの袖壁を中空構造として通風換気機能を付与すると同時に防火ダンパーを設けて防火機能を付与する方法が開示されている。
【０００３】
【発明が解決しようとする課題】
しかし、上記した従来の玄関ドア枠では、例えば実公平７−３６６７０号のように防火戸の袖壁に採光用の小窓を設ける方法では内側パネルや外側パネル自体を耐火または防火パネルとする構造なので顧客の要望に応じてデザインや機能の変更追加をすることが困難であり、また、特開２０００−７３６７１号のように玄関ドアの袖壁を中空構造として通風換気機能を付与すると同時に防火ダンパーを設けて防火機能を付与する方法では換気経路が短いので消音機能を有する換気構造とすることが困難であるという問題があり、またその他、上記いずれの場合も玄関ドア枠の施工と袖壁への採光機能や通風換気機能付与の為の施工とを分けて行なう必要があるので施工工数も多くかかりコストも高くなるという問題もあり、これらの問題を解決することが従来の課題となっていた。
【０００４】
【発明の目的】
本発明は、上記した従来の課題に着目してなされたもので、顧客の要望に応じて袖ユニット部のデザインや機能の変更追加をすることが容易であり、施工も容易でコストダウンが可能であり、且つ、消音換気に有効な玄関ドア枠を提供することを目的としている。
【０００５】
【課題を解決するための手段】
本発明の請求項１に係わる玄関ドア枠は、枠内にドア取付用開口部と袖ユニット取付用開口部とを備え、袖ユニット取付用開口部は、上部に換気口と換気口を塞ぐことができる防火ダンパーとを設けた耐火または防火性能を有する閉塞パネルで塞いであり、袖ユニット取付用開口部の屋外側には下部に換気口を設けた外側パネルを取り付けて閉塞パネルと外側パネルとで中空部を形成し、袖ユニット取付用開口部の屋内側には換気口を設けた内側パネルを取り付けて閉塞パネルと内側パネルとで中空部を形成している構成を前述した従来の課題を解決するための手段としている。
【０００６】
本発明の玄関ドア枠のドア取付用開口部に取り付けるドアには耐火または防火性能を有するドアが用いられるものとする。
【０００７】
【発明の作用】
本発明の請求項１に係わる玄関ドア枠において、袖ユニット取付用開口部は、上部に換気口と換気口を塞ぐことができる防火ダンパーとを設けた耐火または防火性能を有する閉塞パネルで塞いであるので耐火または防火性能を有していることとなり、また、袖ユニット取付用開口部の屋外側には下部に換気口を設けた外側パネルを取り付けて閉塞パネルと外側パネルとで中空部を形成し、袖ユニット取付用開口部の屋内側には換気口を設けた内側パネルを取り付けて閉塞パネルと内側パネルとで中空部を形成しているから、例えば、外側パネルにインターホンや新聞受けその他の玄関外回りの機能部を設けたり、また、内側パネルに照明や収納部を設けたり、或いは、閉塞パネル、外側パネル及び内側パネルの一部または全部を透明素材として採光効果を付与したり、閉塞パネル、外側パネル及び内側パネルの素材或いは形状を適宜選択したりすることが容易となるので、顧客の要望に応じて袖ユニット部のデザインや機能の変更追加をすることが容易であるという絶大な効果が得られる。また、これらの機能部品はすべて玄関ドア枠に一体のものとして供給することが可能となるから、袖壁への諸機能付与を別工事として施工する場合に比較して構造的にもシンプルなものとなり、施工も容易になり、コストダウンもできるという大きな効果が得られる。更に、袖ユニット取付用開口部は上部に換気口を有する閉塞パネルで塞いであり、袖ユニット取付用開口部の屋外側には下部に換気口を設けた外側パネルを取り付けて閉塞パネルと外側パネルとで中空部を形成しているから、閉塞パネルの上部に設けた換気口から外側パネルの下部に設けた屋外側の換気口まで充分長い換気経路を取ることができるので容易に消音機能を有する換気構造とすることが可能となるという大きな効果が得られるものである。
【０００８】
【発明の実施の形態】
以下、本発明の実施の形態を図面を参照して説明する。
【０００９】
図１〜図４は本発明に係わる玄関ドア枠の第一実施形態を示しており、図１は第一実施形態の玄関ドア枠１の外側パネル５、内側パネル６及び上枠１４を取り外した状態を示す分解斜視図、図２は第一実施形態の玄関ドア枠１の外観図、図３は第一実施形態の玄関ドア枠１の内観図を表わしており、また、図４は第一実施形態のドア枠１を躯体に取り付けた状態における横断面図を表わしている。図１においては下枠を省略してあり、また、図４では外側パネル５及び内側パネル６に取り付けた換気口５１、６１やその他のオプション部品は省略してある。
【００１０】
第一実施形態の玄関ドア枠１は、図１〜図４に示す如く、枠内にドア取付用開口部２と袖ユニット取付用開口部３とを備え、袖ユニット取付用開口部３は、上部に換気口４１と換気口４１を塞ぐことができる防火ダンパー４２とを設けた耐火または防火性能を有する閉塞パネル４で塞いであり、袖ユニット取付用開口部３の屋外側には下部に換気口５１を設けた外側パネル５を取り付けて閉塞パネル４と外側パネル５とで中空部５ａを形成し、袖ユニット取付用開口部３の屋内側には換気口６１を設けた内側パネル６を取り付けて閉塞パネル４と内側パネル６とで中空部６ａを形成しているものである。
【００１１】
そして本発明の第一実施形態のドア枠１の外側パネル５の外側面は図１及び図２に示す如く中桟５４で上部パネル５５と下部パネル５６とに上下に分割してあり、外側パネル５の上部パネル５５には透光性パネルを用い、また合わせて、閉塞パネル４及び内側パネル６も透光性のガラスパネルを用いており、さらに、図１及び図３に示す如く内側パネルに照明器具６２を取り付けてあって、日中は屋外側の自然光を屋内側に取り込むことができ、また、夜間は照明器具６２を点灯して屋内側を照明するとともに屋外側の玄関先を照らす玄関灯を兼ねるように設けてある。その他、第一実施形態の玄関ドア枠１ではオプション部品として、図１及び図２に示す如く、外側パネル５の下部パネル５６に玄関備品としてインターホン５２及び新聞受け５３を取り付けてある。
【００１２】
図５は防火ダンパーの構造説明図であり、以下にその構造を詳述する。袖ユニット取付用開口部３を塞ぐ閉塞パネル４は、上部に換気口４１と換気口４１を塞ぐことができる防火ダンパー４２とを備えた耐火または防火性能を有するパネルであり、図５に示す如く、換気口４１は上下方向に等間隔で設けた横スリット状の複数の開口部４１１を有する換気パネル４１０を閉塞パネル４に嵌め込んだものであり、防火ダンパー４２は換気口４１と略同一形状の複数の開口部４２１を設けた遮蔽パネル４２０を有し、通常時は換気口４１の換気パネル４１０に設けた開口部４１１と防火ダンパー４２の遮蔽パネル４２０に設けた開口部４２１とが重なり合うように固定してあって閉塞パネル４の内外間の換気を可能としている。そして、防火ダンパー４２の上方では閉塞パネル４に固定アングル材４２３を取り付け固定し、固定アングル材４２３と遮蔽パネル４２０をメタルヒューズ４２２で固定してあり、換気口４１の下端部には防火ダンパー受け部４１２を設けてある。メタルヒューズ４２２は所定の温度以上に昇温すると溶融する性質があるので、万一、火災が発生した場合にはメタルヒューズ４２２の温度が上昇し、溶融することによって固定アングル材４２３と遮蔽パネル４２０との固定が外れ、遮蔽パネル４２０が落下して下端部が防火ダンパー受け部４１２に当接して止まることとなり、図５の作動時の図に示す如く遮蔽パネル４２０によって換気パネル４１０の開口部４１１が塞がれ、換気口４１が閉じた状態となって防火機能が働くものである。
【００１３】
次に、本発明の第一実施形態の玄関ドア枠の換気機能について説明する。袖ユニット取付用開口部３の屋外側には下部に換気口５１を設けた外側パネル５を取り付けて閉塞パネル４と外側パネル５とで中空部５ａを形成しているから、閉塞パネル４の上部に設けた換気口４１と外側パネル５の下部に設けた換気口５１との間は中空部５ａが長い換気経路を形成していることとなり、このように閉塞パネル４の上部に設けた換気口４１と外側パネル５の下部に設けた換気口５１とが十分に離れていることから雨水の浸入防止効果も得られ、また、中空部５ａに吸音材を充填することによって消音換気装置としての利用も可能になるという大きな効果が得られるものである。
【００１４】
本発明は上述した実施の形態に限らず、本発明の趣旨を逸脱しない範囲で種々の変更が可能である。例えば、図６に本発明を適用できる玄関ドア枠１の構成パターンをいくつか提示してあるように、袖ユニット取付用開口部３は上記した玄関ドア取付部２の片側のみに設けてある場合に限るものでなく、玄関ドア取付部２の両側に設けてあるもの（例１）であっても良い。あるいは玄関ドア取付部２及び袖ユニット取付用開口部３の上部に欄間部Ｒを設けてあるもの（例２）であっても良く、また、玄関ドア取付部２の上部に欄間部Ｒを設けてあるもの（例３）であっても良く、その他の構成パターンも可能である。閉塞パネルは耐火または防火性能を有するものであれば、金属製パネルに限られるものでなく、窯業系パネルやガラスパネルなどが自在に選択可能である。外側パネルや内側パネル及び閉塞パネルは一枚パネルに限られるものでなく複数のパネルを組み合わせて用いてあってもよい。
【００１５】
外側パネル５の屋外側にはインターホン５２及び新聞受け５３を取り付けてある場合を示したが、外側パネル５の屋外側にはこの他例えばネームプレートやフラワースタンドなどの玄関回りの機能部品を取り付けたりした任意の組み合わせが可能であり、また、屋外側パネル５と閉塞パネル４とで形成する中空部５ａ内に上述の如く吸音材を充填したり、また、照明器具を取り付けることも可能である。また、屋内側パネル６と閉塞パネル４とで形成する中空部６ａに照明器具を取り付けた場合を例示したが、例えばこの中空部６ａには屋内側パネル６側から出し入れ可能な玄関収納を設けることなども可能である。或いは、玄関ドアの錠に電気錠仕様を採用する場合、通常の電気錠部は玄関ドア（扉）側に取り付けるものであるが、本発明の玄関ドア枠１を用いれば電気錠部を袖ユニット取付用開口部３側の仕切枠１１の中空部側に取り付けることも可能であり、そうすれば電気配線などドアの取付時の複雑な施工が不要になるという効果も得られることとなる。このように、本発明の玄関ドア枠を用いることによって、種々の玄関回りの機能部品の付加を自在に行なうことが容易であり、それに付随しての各種効果をも得ることができるものである。
【００１６】
【発明の効果】
以上説明してきたように、本発明の請求項１に係わる玄関ドア枠では、上記した構成としたから、耐火または防火性能を有しているとともに、顧客の要望に応じて袖ユニット部のデザインや機能の変更追加をすることが容易であり、且つ、袖壁への諸機能付与を別工事として施工する場合に比較して構造的にもシンプルなものとなり、施工も容易になり、コストダウンもできるという絶大な効果が得られ、また、容易に消音機能を有する換気構造とすることが可能となるという大きな効果が得られるものである。
【図面の簡単な説明】
【図１】第一実施形態の玄関ドア枠の分解斜視図である。
【図２】第一実施形態の玄関ドア枠の外観図である。
【図３】第一実施形態の玄関ドア枠の内観図である。
【図４】第一実施形態の玄関ドア枠を建物に取り付けた状態の横断面図である。
【図５】防火ダンパーの構造説明図である。
【図６】本発明の玄関ドア枠の構成パターン例を示す参考図である。
【符号の説明】
１　　　玄関ドア枠
２　　　ドア取付用開口部
３　　　袖ユニット取付用開口部
４　　　閉塞パネル
４１　　換気口
４２　　防火ダンパー
５　　　外側パネル
５ａ　　中空部
５１　　換気口
６　　　内側パネル
６ａ　　中空部
６１　　換気口
７　　　玄関ドア
Ｋ　　　躯体
【図１】
2004044157.tif 000003
【図２】
2004044157.tif 000004
【図３】
2004044157.tif 000005
【図４】
2004044157.tif 000006
【図５】
2004044157.tif 000007
【図６】
2004044157.tif 000008